(57)【要約】【課題】本発明は、信号線束を重ねた配線におけるクロストークを抑制する。【解決手段】画像形成装置１は、その配線部７１が、複数本の信号線が面状に束ねられて制御基板６１と露光部３３Ｙ、３３Ｍ、３３Ｃ、３３ＫのＬＥＤアレイヘッド３３Ｙｌ、３３Ｍｌ、３３Ｃｌ、３３Ｋｌを接続するＦＦＣ６２Ｙ〜６２Ｋと、ＦＦＣ６２Ｙ〜６２Ｋの信号線の方向を合わせて面同士が重ね合わされて配設された複数のＦＦＣ６２Ｙ〜６２Ｋの所定領域において、所定のＦＦＣ６２Ｙ〜６２Ｋと重なり合っている少なくとも一方の該ＦＦＣ６２Ｙ〜６２Ｋとの間に配設されて該ＦＦＣ６２Ｙ〜６２Ｋ間におけるクロストークを抑制するクロストーク抑制構造物と、を備えている。【選択図】          図５
2014086332.tif 000002
【特許請求の範囲】
【請求項１】
複数本の信号線が面状に束ねられた信号線束と、
前記信号線の方向を合わせて面同士が重ね合わされて配設された複数の前記信号線束の所定領域において、所定の信号線束と重なり合っている少なくとも一方の該信号線束との間に配設されて該信号線束間におけるクロストークを抑制するクロストーク抑制手段と、
を備えていることを特徴とする配線装置。
【請求項２】
前記信号線束は、
少なくとも３束以上重ね合わされており、
前記クロストーク抑制手段は、
両面が前記信号線束に挟まれている信号線束の前記所定領域において、該信号線束を挟んでいる他の２つの信号線束のうち少なくとも一方の信号線束との間に配設されて該信号線束間における前記クロストークを抑制する状態で配設されていることを特徴とする請求項１記載の配線装置。
【請求項３】
前記クロストーク抑制手段は、
前記信号線束同士の距離を所定量空けて前記クロストークを抑制することを特徴とする請求項１または請求項２記載の配線装置。
【請求項４】
前記クロストーク抑制手段は、
前記信号線束を流れる信号によって発生する電磁界の他の信号線束への影響を抑制して前記クロストークを抑制することを特徴とする請求項１または請求項２記載の配線装置。
【請求項５】
前記クロストーク抑制手段は、
前記信号線束の幅と略同じ幅を有し、該信号線束の長さ方向に前記所定領域の長さを有する所定厚さの板状部材で構成されていることを特徴とする請求項１から請求項４のいずれかに記載の配線装置。
【請求項６】
前記クロストーク抑制手段は、
前記信号線束と面する面形状が前記所定領域よりも小さい所定の板形状の部分クロストーク抑制部材が、該所定領域において相対向する信号線束同士のクロストークを抑制する状態で複数配設されていることを特徴とする請求項１から請求項４のいずれかに記載の配線装置。
【請求項７】
前記信号線束は、
フレキシブルフラットケーブルであることを特徴とする請求項１から請求項６のいずれかに記載の配線装置。
【請求項８】
配線部を通して信号の授受を行う電子機器において、
前記配線部として、請求項１から請求項７のいずれかに記載の配線装置を備えていることを特徴とする電子機器。
【請求項９】
制御手段から画像信号を、感光体に各色の静電潜像を形成する書き込み光を出射する各色のＬＥＤアレイヘッドに送信する配線部を備えている画像形成装置であって、
前記配線部として、請求項１から請求項７のいずれかに記載の配線装置を備えていることを特徴とする画像形成装置。
【発明の詳細な説明】
【技術分野】
【０００１】
本発明は、配線装置、電子機器及び画像形成装置に関し、詳細には、小型でかつクロストークを抑制する配線装置、電子機器及び画像形成装置に関する。
【背景技術】
【０００２】
複写装置、ファクシミリ装置、プリンタ装置等の画像形成装置やスキャナ装置等の画像読み取り装置を含む画像処理装置及びコンピュータやその他の家庭電気製品等の電子機器においては、小型化に伴って内部の基板間をＦＦＣ（Flexible Flat Cable：フレキシブルフラットケーブル）を用いて接続することが多くなってきており、ＦＦＣは、現在の小型化された電子機器において、その薄さと耐屈曲性が機器の小型化に大きく貢献している。
【０００３】
特に、電子写真方式の画像形成装置においては、例えば、電子写真の光源として、複数のＬＥＤ（Light Emitting Diode）が列状に配列されたＬＥＤアレイを複数主走査方向に配列したＬＥＤアレイヘッドが用いられることが多いが、この場合、制御基板と各ＬＥＤアレイとを接続するのに、ＦＦＣが用いられている。そして、制御基板と各ＬＥＤアレイとを接続するＦＦＣは、ＬＥＤアレイの数に対応した数だけ制御基板からＬＥＤアレイへの途中まで、その平らな面が重なるように重ね合わされて配設されている。すなわち、ＬＥＤアレイの配置位置が上述のように主走査方向に並んで配置されており、また、ＦＦＣは、折り数が増えると加工費用が発生するから、ＦＦＣの這い回しを効率的で安価に行って装置の小型化、低価格化を図るために、ＦＦＣは、制御基板から各ＦＦＣの対応するＬＥＤアレイの配置位置まで、それぞれのＦＦＣが重なり合わされた状態で這い回しされている。
【０００４】
また、近年、電子機器は、高速化、高精度化、例えば、画像処理装置においては、画像形成速度、画像読み取り速度及び画像処理速度の高速化、高精細化が要望され、高速化に伴って、データ転送速度も高速化してきている。
【０００５】
そして、重ねて這い回されたＦＦＣは、信号の転送時に、クロストークという問題が発生する。クロストークとは、信号がワイヤ（信号線）に沿って流される（ドライブされる）たびに、ワイヤの周囲に磁界が発生して、２本のワイヤが相互に近接して配置されていると、２つのワイヤの周囲に発生する磁界が相互に作用し合い、２つのワイヤを流れる信号間にエネルギーのクロス結合が生じる現象である。
【０００６】
ＦＦＣは、このクロストークが発生すると、ＦＦＣを流れる信号に影響が発生して、正確なデータ転送を行う上で、支障が生じる。
【０００７】
そして、従来、複数本の被覆電線が帯状に一体化されてなり、開閉部側の読取部の出力信号を本体部側の制御基板に伝達するフレキシブルフラットケーブルと、複数本の被覆電線が帯状に一体化されてなり、前記本体部側読取部の出力信号を前記制御基板に伝達する本体部側フレキシブルフラットケーブルとが、前記本体部の内部において、双方の厚さ方向に重なった状態で配線される重複区間を備え、前記本体部には、前記重複区間において前記フレキシブルフラットケーブルと前記本体部側フレキシブルフラットケーブルとの接触を防止する接触防止機構が設けられている画像読み取り装置が提案されている（特許文献１参照）。
【０００８】
すなわち、この従来技術は、重ね合わされているＦＦＣとＦＦＣとの間を全面に渡って接触を防止する接触防止機構を設けて、クロストークの抑制を図っている。
【発明の概要】
【発明が解決しようとする課題】
【０００９】
しかしながら、上記従来技術にあっては、ＦＦＣ間を全面に渡って接触防止機構を設けているため、接触防止機構が大型化して、ＦＦＣが適用されている装置自体が大型化するとともに、価格が高くなるという問題があった。
【００１０】
そこで、本発明は、複数本の信号線が束ねられている信号線束を近接させて複数配設する場合に、小型化を図りつつ、クロストークの発生を抑制することを目的としている。
【課題を解決するための手段】
【００１１】
上記目的を達成するために、請求項１記載の配線装置は、複数本の信号線が面状に束ねられた信号線束と、前記信号線方向を合わせて面同士が重ね合わされて配設された複数の前記信号線束の所定領域において、所定の信号線束と重なり合っている少なくとも一方の該信号線束との間に配設されて該信号線束間におけるクロストークを抑制するクロストーク抑制手段と、を備えていることを特徴としている。
【発明の効果】
【００１２】
本発明によれば、複数本の信号線が束ねられている信号線束を近接させて複数配設する場合に、小型化を図りつつ、クロストークの発生を抑制することができる。
【図面の簡単な説明】
【００１３】
【図１】本発明の一実施例を適用した画像形成装置の要部概略構成図。
【図２】画像形成装置の概略ブロック構成図。
【図３】画像形成装置の要部斜視図。
【図４】板金ボックスの裏面図。
【図５】画像形成装置の要部側面図。
【図６】クロストーク抑制構造物の第１例を示す図。
【図７】クロストーク抑制構造物の第２例を示す図。
【図８】クロストーク抑制構造物の第３例を示す図。
【図９】クロストーク抑制構造物における形状構造の第１例を示す平面図。
【図１０】クロストーク抑制構造物における形状構造の第２例を示す平面図。
【図１１】クロストーク抑制構造物における形状構造の第３例を示す平面図。
【図１２】クロストーク抑制構造物における形状構造の第４例を示す平面図。
【図１３】クロストーク抑制構造物における形状構造の第５例を示す平面図。
【図１４】ヒンジを利用したクロストーク抑制構造物の一例を示す図。
【図１５】ヒンジを利用したクロストーク抑制構造物の他の例を示す図。
【図１６】板金ボックスの上板を利用したクロストーク構造物の第１例を示す図。
【図１７】板金ボックスの上板を利用したクロストーク構造物の第２例を示す図。
【図１８】板金ボックスの上板を利用したクロストーク構造物の第３例を示す図。
【図１９】重なり合っているＦＦＣを流れる信号等の説明図。
【図２０】データ信号におけるクロストーク発生の説明図。
【図２１】中間転写ベルトを用いた画像形成装置の要部概略構成図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図２１は、本発明の配線装置、画像形成装置及び配線方法の一実施例を示す図であり、図１は、本発明の配線装置、画像形成装置及び配線方法の一実施例を適用した画像形成装置１の要部概略構成図である。
【００１６】
図１において、画像形成装置１は、図示しない本体筐体内に、給紙部１０、搬送ベルト機構部２０、搬送ベルト機構部２０に沿って配設されたイエロー（Ｙ）、マゼンタ（Ｍ）、シアン（Ｃ）及びブラック（Ｋ）の各色の画像形成部３０Ｙ、３０Ｍ、３０Ｃ、３０Ｋ及び定着部４０等を備えており、これらの他に、図示しないが、モータ及びモータにより駆動される各部に駆動源を伝達する駆動機構部、操作表示部５４（図２参照）等を備えている。
【００１７】
給紙部１０は、給紙カセット１１、給紙ローラ１２、分離ローラ１３及び図示しないレジストローラ等を備えている。給紙部１０は、給紙カセット１１内の用紙（被記録媒体）Ｐを、給紙ローラ１２と分離ローラ１３により１枚ずつ分離して、レジストローラに送り出し、レジストローラが、給紙カセット１１から送られてきた用紙Ｐのタイミング調整を行って、用紙Ｐを所定のタイミングで搬送ベルト機構部２０に送り出す。
【００１８】
搬送ベルト機構部２０は、搬送ベルト２１、駆動ローラ２２、従動ローラ２３及びガイド板２４等を備えており、搬送ベルト２１は、無端リング状のベルトであって、駆動ローラ２２と従動ローラ２３に張り渡されている。搬送ベルト機構部２０は、駆動ローラ２２が、図示しない制御部の制御下で図外のモータ等の駆動機構により回転駆動されることにより、図１に矢印で示す反時計方向に回転駆動される。搬送ベルト機構部２０は、駆動ローラ２２が反時計方向に回転駆動されることで、搬送ベルト２１が、給紙部１０から送り出されてきてガイド板２４によって搬送ベルト２１へとガイドされた用紙Ｐを、各色の画像形成部３０Ｙ、３０Ｍ、３０Ｃ、３０Ｋに順次搬送する。搬送ベルト機構部２０は、搬送される用紙Ｐに各色の画像形成部３０Ｙ、３０Ｍ、３０Ｃ、３０Ｋで、それぞれイエロートナー画像、マゼンタトナー画像、シアントナー画像及びブラックトナー画像が順次用紙Ｐに重ね合わされて転写されてカラートナー画像が形成される。
【００１９】
各色の画像形成部３０Ｙ、３０Ｍ、３０Ｃ、３０Ｋは、感光体３１Ｙ、３１Ｍ、３１Ｃ、３１Ｋが搬送ベルト２１の搬送方向に沿って所定間隔で配設されている。各色の画像形成部３０Ｙ、３０Ｍ、３０Ｃ、３０Ｋは、それぞれ感光体３１Ｙ、３１Ｍ、３１Ｃ、３１Ｋの周囲に、帯電部３２Ｙ、３２Ｍ、３２Ｃ、３２Ｋ、露光部３３Ｙ、３３Ｍ、３３Ｃ、３３Ｋ、現像部３４Ｙ、３４Ｍ、３４Ｃ、３４Ｋ、転写部３５Ｙ、３５Ｍ、３５Ｃ、３５Ｋ、クリーニング部３６Ｙ、３６Ｍ、３６Ｃ、３６Ｋ及び図示しない除電部等が配設されている。
【００２０】
各画像形成部３０Ｙ、３０Ｍ、３０Ｃ、３０Ｋは、図外の駆動機構により図１中時計方向に回転駆動される感光体３１Ｙ、３１Ｍ、３１Ｃ、３１Ｋを、帯電部３２Ｙ、３２Ｍ、３２Ｃ、３２Ｋで一様に帯電させる。画像形成部３０Ｙ、３０Ｍ、３０Ｃ、３０Ｋは、露光部３３Ｙ、３３Ｍ、３３Ｃ、３３Ｋから、各色の画像データで変調された書き込み光が、一様に帯電されている感光体３１Ｙ、３１Ｍ、３１Ｃ、３１Ｋに照射されて静電潜像が形成される。画像形成部３０Ｙ、３０Ｍ、３０Ｃ、３０Ｋは、該静電潜像の形成された感光体３１Ｙ、３１Ｍ、３１Ｃ、３１Ｋに、現像部３４Ｙ、３４Ｍ、３４Ｃ、３４Ｋで、それぞれＹＭＣＫの各色のトナーを付着させて、各色のトナー画像を形成する。そして、画像形成部３０Ｙ、３０Ｍ、３０Ｃ、３０Ｋは、搬送ベルト２１と感光体３１Ｙ、３１Ｍ、３１Ｃ、３１Ｋとの間に上記用紙Ｐが搬送されると、搬送ベルト２１の背面に配設された転写部３５Ｙ、３５Ｍ、３５Ｃ、３５Ｋが、転写電位を付与して、感光体３１Ｙ、３１Ｍ、３１Ｃ、３１Ｋ上のＹＭＣＫ各色のトナー画像を順次用紙Ｐに重ねて転写させる。トナー画像の転写の完了した感光体３１Ｙ、３１Ｍ、３１Ｃ、３１Ｋは、クリーニング部３６Ｙ、３６Ｍ、３６Ｃ、３６Ｋで残留トナーがクリーニングされ、除電部で除電された後、再度、帯電部３２Ｙ、３２Ｍ、３２Ｃ、３２Ｋで帯電されて、次の画像形成動作に供される。
【００２１】
上述のようにしてＹＭＣＫの各色のトナー画像が順次重ね合わされて転写されてカラー画像の形成された用紙Ｐは、静電的に搬送ベルト２１に吸着された状態で、搬送ベルト２１によりさらに搬送されて、駆動ローラ２２部分で搬送ベルト２１から分離されて、定着部４０に搬送される。
【００２２】
定着部４０は、定着ローラ４１、加圧ローラ４２及び図示しないサーミスタ、サーモスタットや定着ヒータ等を備えている。定着ローラ４１と加圧ローラ４２は、所定の押圧力で押圧されて、一方が回転駆動されることにより、他方が連れ回りする。定着ローラ４１は、通電されることでその通電量に応じた温度に定着ローラ４１を加熱する定着ヒータが内蔵されていて、該定着ヒータへの通電量が制御されることで、所定の定着温度に加熱制御される。
【００２３】
定着部４０は、ＹＭＣＫの各色が重ね合わされたカラートナー画像が転写されて、搬送ベルト２１により搬送されてきた用紙Ｐを定着ローラ４１と加圧ローラ４２で加熱・加圧しつつ搬送することで、カラートナー画像を用紙Ｐに定着させ図示しない排紙トレイ上に排出する。
【００２４】
サーミスタは、定着ローラ４１の近傍に配設され、定着ローラ４１の表面温度を検出して、アナログの電圧値の検出温度信号を出力する。サーモスタットは、定着ローラ４１の近傍であって、定着ヒータへの電力線に接続されており、所定の遮断温度以上に上昇すると、オフとなって、定着ヒータへの通電を遮断する。
【００２５】
上記露光部３３Ｙ、３３Ｍ、３３Ｃ、３３Ｋは、例えば、それぞれＹＭＣＫ各色用のＬＥＤアレイヘッドを備えている。各色用のＬＥＤアレイヘッドは、それぞれＹＭＣＫ各色の画像データに応じてＬＥＤが点灯制御されることで、感光体３１Ｙ、３１Ｍ、３１Ｃ、３１Ｋに書き込み光を照射する。
【００２６】
そして、画像形成装置１は、図２に示すようにブロック構成されており、制御部５０、コンピュータインターフェイス部５１、作像プロセス部５２、ＣＴＬ５３、操作表示部５４、プリントジョブ管理部５５、上記定着部４０、画像読み取り部５６、画像書き込み制御部５７、ラインメモリ５８及び記憶部５９等を備えている。
【００２７】
制御部５０は、画像形成装置１の各部を制御して、画像形成装置１としての基本機能を実行するとともに、本発明の画像形成制御処理を実行する。制御部５０は、例えば、ＣＰＵ（Central Processing Unit ）、ＲＯＭ（Read Only Memory）、ＲＡＭ（Random Access Memory）等を備え、ＲＯＭ内に、画像形成装置１としての基本プログラムやその他のプログラム及びこれらの各種プログラムを実行するのに必要な各種データが予め格納されている。制御部５０は、ＣＰＵが、ＲＯＭ内のプログラムに基づいて、ＲＡＭをワークメモリとして利用して、画像形成装置１の各部を制御して画像形成装置１としての基本処理を実行する。
【００２８】
コンピュータインターフェイス部５１は、ネットワークを介して画像形成装置１に印刷要求と印刷データを送信するコンピュータ等の情報処理装置との間で通信を行う。
【００２９】
作像プロセス部５２は、上記給紙部１０、搬送ベルト機構部２０、搬送ベルト機構部２０に沿って配設されたイエロー（Ｙ）、マゼンタ（Ｍ）、シアン（Ｃ）及びブラック（Ｋ）の各色の画像形成部３０Ｙ、３０Ｍ、３０Ｃ、３０Ｋ等で構成され、制御部５０の制御下で、上記電子写真方式によって用紙Ｐに画像を印刷出力する。
【００３０】
ＣＴＬ５３は、上記ネットワーク等を介して情報処理装置から送信されてきた画像データや画像読み取り部５６で読み取られた画像データを制御部５０に渡して、画像形成要求を行う。
【００３１】
操作表示部５４は、画像形成装置１に印刷処理を行わせるための各種操作を行う各種操作キーを備えるとともに、ディスプレイ（例えば、液晶ディスプレイ）を備えている。操作表示部５４は、操作キーから、印刷部数等の画像形成装置１を動作させるのに必要な各種命令が入力操作され、ディスプレイに、操作キーで入力された各種命令内容や画像形成装置１からユーザに通知する各種情報を表示する。そして、操作表示部５４は、操作内容を制御部５０に出力し、また、制御部５０の制御下で、ディスプレイに上記各種情報を表示する。
【００３２】
プリントジョブ管理部５５は、画像形成装置１に要求される印刷要求と印刷データを印刷ジョブとして受け付けて該印刷ジョブの順番等を管理し、印刷実行管理を行う。
【００３３】
定着部４０は、上述のように、作像プロセス部５２でトナー画像の転写された用紙Ｐを加熱・加圧しつつ搬送して、トナー画像を用紙Ｐに定着させる。
【００３４】
画像読み取り部５６は、例えば、ＣＣＤ(Charge Coupled Device）を利用したラインイメージセンサ等が用いられており、一般にＡＤＦ（Auto Document Feeder）を備えている。ＡＤＦには、複数枚の原稿がセットされ、ＡＤＦは、セットされた原稿を１枚ずつ画像読み取り部５６の原稿読取位置に送給する。画像読み取り部５６は、ＡＤＦから搬送されてきた原稿を走査し、原稿の画像を所定の解像度で読み取って、制御部５０に出力する。
【００３５】
画像書き込み制御部（制御手段）５７は、ＣＴＬ５３から送信された画像データを、作像プロ制御部部５２の露光部３３Ｙ、３３Ｍ、３３Ｃ、３３Ｋの各ＬＥＤアレイヘッド３３Ｙｌ、３３Ｍｌ、３３Ｃｌ、３３Ｋｌ（図３、図５参照）に設けられているＬＥＤを発光させるための露光信号（画像信号）に変換し、ＬＥＤアレイヘッド３３Ｙｌ、３３Ｍｌ、３３Ｃｌ、３３Ｋｌの各ＬＥＤを個別に点灯制御する。
【００３６】
ラインメモリ５８は、ＣＴＬ５３から送信されてきた画像データを、ライン単位で一時的に格納するバッファであり、画像書き込み制御部５７によって、画像処理におけるスキュー量を調整するのに使用される。
【００３７】
記憶部５９は、不揮発性メモリ等で構成され、画像形成装置１を動作させるためのパラメータ等を記憶する。
【００３８】
そして、画像形成装置１は、上記制御部５０、コンピュータインターフェイス部５１、作像プロセス部５２、ＣＴＬ５３、プリントジョブ管理部５５、画像書き込み制御部５７、ラインメモリ５８及び記憶部５９等が、図３に示すように、画像形成装置１の板金ボックス６０に収納されている制御基板６１に搭載されている。
【００３９】
この制御基板６１に搭載されている画像書き込み制御部５７は、図３、図４及び図５に示すＦＦＣ（信号線束）６２Ｙ、６２Ｍ、６２Ｃ、６２Ｋによって、それぞれ露光部３３Ｙ、３３Ｍ、３３Ｃ、３３ＫのＬＥＤアレイヘッド３３Ｙｌ、３３Ｍｌ、３３Ｃｌ、３３Ｋｌと接続されている。
【００４０】
各ＬＥＤアレイヘッド３３Ｙｌ、３３Ｍｌ、３３Ｃｌ、３３Ｋｌは、各色の画像データに基づいてそれぞれ変調された露光信号（画像信号）が入力されることで、各ＬＥＤアレイヘッド３３Ｙｌ、３３Ｍｌ、３３Ｃｌ、３３Ｋｌを構成する複数のＬＥＤが点灯／消灯して、図示しない各色に対応する感光体にそれぞれ書き込み光を照射して、感光体３１Ｙ、３１Ｍ、３１Ｃ、３１Ｋ上に静電潜像を形成する。
【００４１】
ＬＥＤアレイヘッド３３Ｙｌ、３３Ｍｌ、３３Ｃｌ、３３Ｋｌは、主走査方向の両端位置に縦方向に配設されている一対の側板６３ａ、６３ｂに取り付けられており、側板６３ａ、６３ｂは、その下端部が底板金６４に固定されている。なお、この側板６３ａ、６３ｂと底板金６４は、一体成型されていてもよい。
【００４２】
また、側板６３ａ、６３ｂ及び底板金６４は、図３の左側の側端部に配設されている板金ボックス６０に連結されており、板金ボックス６０は、中空の箱形状に形成されている。上記側板６３ａ、６３ｂ、底板金６４及び板金ボックス６０は、導電性を有する部材で形成されており、図示しない接地コード等によって接地（ＧＮＤに接続）されている。
【００４３】
板金ボックス６０は、その内部に、上記制御基板６１が収納されており、制御基板６１は、板金ボックス６０との間にスペーサを挟んで絶縁された状態で、取付具６５によって板金ボックス６０に取り付けられている。
【００４４】
この制御基板６１と各ＬＥＤアレイヘッド３３Ｙｌ、３３Ｍｌ、３３Ｃｌ、３３Ｋｌ、特に、制御基板６１に搭載されている画像書き込み制御部５７とＬＥＤアレイヘッド３３Ｙｌ、３３Ｍｌ、３３Ｃｌ、３３Ｋｌとは、それぞれＦＦＣ（通信線束）６２Ｙ、６２Ｍ、６２Ｃ、６２Ｋで接続されており、制御基板６１は、４本のＦＦＣ６２Ｙ、６２Ｍ、６２Ｃ、６２Ｋを通して各色用の露光信号を、対応するＬＥＤアレイヘッド３３Ｙｌ、３３Ｍｌ、３３Ｃｌ、３３Ｋｌに出力する。なお、４本のＦＦＣ６２Ｙ、６２Ｍ、６２Ｃ、６２Ｋは、板金ボックス６０の上面に形成されている開口部６０ａを通して、板金ボックス６０内に引き込まれている。ＦＦＣ６２Ｙ〜６２Ｋは、複数本の信号線が平面上に束ねられた信号線束となっている。
【００４５】
４本のＦＦＣ６２Ｙ、６２Ｍ、６２Ｃ、６２Ｋは、図４及び図５に示すように、コネクタ６６ａ〜６６ｄによって制御基板６１に接続されており、コネクタ６６ａ〜６６ｄ近傍において、４本のＦＦＣ６２Ｙ、６２Ｍ、６２Ｃ、６２Ｋを束ねるようにしてシールドシート６７が巻かれている。
【００４６】
ＦＦＣ６２Ｙ、６２Ｍ、６２Ｃ、６２Ｋは、このシールドシート６７とともに、導電性テープ６８が巻きつけられており、導電性テープ６８は、接地部材６９に接触保持されているとともに、接地部材６９が板金ボックス６０に固定されることで、接地されている板金ボックス６０に接続されて、接地状態となっている。
【００４７】
そして、ＦＦＣ６２Ｙ、６２Ｍ、６２Ｃ、６２Ｋは、所定幅を有した面形状を有しており、図３及び図５に示すように、対応するＬＥＤアレイヘッド３３Ｙｌ、３３Ｍｌ、３３Ｃｌ、３３Ｋｌに接続するために分岐するまでは、その面が重なり合う状態で配設されている。
【００４８】
ところが、ＦＦＣ６２Ｙ、６２Ｍ、６２Ｃ、６２Ｋは、重なり合って配設されている状態で、内部の信号線に信号が流れると、上述のように、信号の転送時に、クロストークという問題が発生する。
【００４９】
そこで、本実施例の画像形成装置１は、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、重なり合っている部分の一部分（所定領域）に、図６から図８に示すように、クロストーク抑制構造物７０を介在させて、クロストークの影響を抑制する。したがって、ＦＦＣ６２Ｙ、６２Ｍ、６２Ｃ、６２Ｋ及びクロストーク抑制構造物（クロストーク抑制手段）７０は、全体として、配線部（配線装置）７１として機能している。なお、図６から図８において、各ＦＦＣ６２Ｙ、６２Ｃ、６２Ｋに付与されている矢印は、そのＦＦＣ６２Ｙ、６２Ｃ、６２Ｋが、ＦＦＣ６２Ｍに作用する電磁界（電磁波）の大きさを概略的に示している。
【００５０】
すなわち、画像形成装置１は、図６では、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、最も長いＦＦＣ６２Ｙと３番目に長いＦＦＣ６２Ｃに挟まれている２番目に長いＦＦＣ６２Ｍの制御基板６１側の一部分に入り込む状態で、クロストーク抑制構造物７０ａとクロストーク抑制構造物７０ｂが配設されている。そして、ＦＦＣ６２Ｙ、６２Ｍ、６２Ｃ、６２Ｋ及びクロストーク抑制構造物７０ａ、７０ｂは、全体として配線部７１として機能している。
【００５１】
したがって、ＦＦＣ６２Ｍは、クロストーク抑制構造物７０ａによって、制御基板６１側の一部分が、ＦＦＣ６２Ｙと所定距離だけ離れた状態、または、所定距離だけ離れるとともに電磁界が抑制された状態となっており、また、クロストーク抑制構造物７０ｂによって、制御基板６１側の一部分が、ＦＦＣ６２Ｃと所定距離だけ離れた状態、または、所定距離だけ離れるとともに電磁界が抑制された状態となっている。その結果、図６に矢印で示すように、ＦＦＣ６２Ｍに作用する他のＦＦＣ６２Ｙ、６２Ｃ、６２Ｋの電磁界は、クロストーク抑制構造物７０ａ、７０ｂの配設されている部分において、小さく抑制されている。
【００５２】
また、画像形成装置１は、図７では、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、最も長いＦＦＣ６２Ｙと２番目に長いＦＦＣ６２Ｍの制御基板６１側の一部分に入り込む状態で、クロストーク抑制構造物７０ｃが配設されている。このクロストーク抑制構造物７０ｃは、その長さ方向の長さが、図６のクロストーク抑制構造物７０ａ、７０ｂよりも長くなっている。そして、ＦＦＣ６２Ｙ、６２Ｍ、６２Ｃ、６２Ｋ及びクロストーク抑制構造物７０ｃは、全体として配線部７１として機能している。
【００５３】
したがって、ＦＦＣ６２Ｍは、クロストーク抑制構造物７０ｃによって、制御基板６１側の一部分が、ＦＦＣ６２Ｙと所定距離だけ離れた状態、または、所定距離だけ離れるとともに電磁界が抑制された状態となっている。その結果、図７に矢印で示すように、ＦＦＣ６２Ｍに作用するＦＦＣ６２Ｙの電磁界は、クロストーク抑制構造物７０ｄの配設されている部分において、小さく抑制されている。
【００５４】
さらに、画像形成装置１は、図８では、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、３番目に長いＦＦＣ６２Ｙと２番目に長いＦＦＣ６２Ｍの制御基板６１側の一部分に入り込む状態で、クロストーク抑制構造物７０ｄが配設されている。このクロストーク抑制構造物７０ｄは、その長さ方向の長さが、図６のクロストーク抑制構造物７０ａ、７０ｂよりも長く、図７のクロストーク抑制構造物７０ｃと略同じ長さである。そして、ＦＦＣ６２Ｙ、６２Ｍ、６２Ｃ、６２Ｋ及びクロストーク抑制構造物７０ｄは、全体として配線部７１として機能している。
【００５５】
したがって、ＦＦＣ６２Ｍは、クロストーク抑制構造物７０ｄによって、制御基板６１側の一部分が、ＦＦＣ６２Ｃと所定距離だけ離れた状態、または、所定距離だけ離れるとともに電磁界が抑制された状態となっている。その結果、図８に矢印で示すように、ＦＦＣ６２Ｍに作用する他のＦＦＣ６２Ｃ、６２Ｋの電磁界は、クロストーク抑制構造物７０ｄの配設されている部分において、小さく抑制されている。
【００５６】
上記クロストーク抑制構造物７０ａ〜７０ｄは、他のＦＦＣ６２Ｙ〜６２Ｋに作用する電磁界の大きさを低減させて、クロストークの影響を抑制することのできる構造、材料であれば、適宜のものを用いることができる。例えば、クロストークは、信号の流れる信号線と信号線の距離、ＦＦＣ６２Ｙ〜６２Ｋ相互間の距離が近いほど影響が大きいため、クロストーク抑制構造物７０ａ〜７０ｄは、ＦＦＣ６２Ｙ〜６２Ｋの相互間の距離を所定距離空ける構造物を用いることができる。また、クロストークは、信号線、すなわち、ＦＦＣ６２Ｙ〜６２Ｋを流れる信号の電流値の大きさが大きいほど、その影響が大きいため、クロストーク抑制構造物７０ａ〜７０ｄは、ＦＦＣ６２Ｙ〜６２Ｋを流れる信号の電流値に応じたＦＦＣ６２Ｙ〜６２Ｋ間の距離を空ける構造物を用いることができる。さらに、クロストークは、信号線、すなわち、ＦＦＣ６２Ｙ〜６２Ｋを流れる信号電流によって発生する電磁界で引き起こされるため、クロストーク抑制構造物７０ａ〜７０ｄは、電磁界を遮蔽する材料の構造物を用いることができる。
【００５７】
そして、クロストーク抑制構造物７０ａ〜７０ｄは、ＦＦＣ６２Ｙ〜６２Ｋの相互間の距離を空ける構造物としては、例えば、図９から図１３に示すようなものを用いることができる。クロストーク抑制構造物７０ａ〜７０ｄは、例えば、図９に示すように、ＦＦＣ６２Ｙ〜６２Ｋの電磁界の影響を低減させる部分全域を覆う構造物、また、図１０に示すように、ＦＦＣ６２Ｙ〜６２Ｋの電磁界の影響を低減させる部分の長さ方向全域、かつ、幅方向については、ＦＦＣ６２Ｙ〜６２Ｋの幅よりも狭い幅を有する構造物を用いることができる。さらに、クロストーク抑制構造物７０ａ〜７０ｄは、例えば、図１１に示すように、ＦＦＣ６２Ｙ〜６２Ｋの電磁界の影響を低減させる部分の長さ方向全域、かつ、幅方向については、ＦＦＣ６２Ｙ〜６２Ｋの幅よりも狭い幅を有する複数（図１１では、２つ）の構造物を並べたものを用いることができ、また、図１２に示すように、ＦＦＣ６２Ｙ〜６２Ｋの長さ方向に所定の狭い幅を有するとともに、ＦＦＣ６２Ｙ〜６２Ｋの幅よりも短い長さを有する複数（図１２では、３つ）の構造物を、ＦＦＣ６２Ｙ〜６２Ｋの電磁界の影響を低減させる部分の長さ方向全域に対して、所定間隔を空けて配置したものを用いることができる。また、クロストーク抑制構造物７０ａ〜７０ｄは、例えば、図１３に示すように、所定の半径を有する円柱状の構造物を、ＦＦＣ６２Ｙ〜６２Ｋの電磁界の影響を低減させる部分の長さ方向全域にわたって、ＦＦＣ６２Ｙ〜６２Ｋの幅方向及び長さ方向に複数（図１３では、幅方向に２つ、長さ方向に３つ）配置したものを用いることができる。
【００５８】
上記図９から図１３において、クロストーク抑制構造物７０ａ〜７０ｄは、ＦＦＣ６２Ｙ〜６２Ｋの距離を決定する厚さが、上述のように、ＦＦＣ６２Ｙ〜６２Ｋを流れる信号の大きさ等に応じて、ＦＦＣ６２Ｙ〜６２Ｋ相互間のクロストークの影響を適切に低減することのできる厚さである。また、クロストーク防止構造物７０ａ〜７０ｄは、電磁界を低減させて、クロストークを抑制させる部材が用いられていてもよい。
【００５９】
そして、クロストーク抑制構造物７０ａ〜７０ｄは、具体的な構造物としては、例えば、図１４及び図１５に示すように、露光部３３Ｙ、３３Ｍ、３３Ｃ、３３Ｋ、すなわちＬＥＤアレイヘッド３３Ｙｌ、３３Ｍｌ、３３Ｃｌ、３３Ｋｌの配設されている開閉カバー８０のヒンジ８１を、構造物として用いている。
【００６０】
すなわち、図１４では、画像形成装置１は、板金ボックス６０の開口部６０ａに対応する位置のヒンジ８１に、水平方向に所定長さを有する２つのスリット８１ａ、８１ｂが垂直方向に所定間隔空けて形成されている。画像形成装置１は、図１４で、上側のスリット８１ａに、開口部６０ａを通過してきた最も長いＦＦＣ６２Ｙが通されて、開閉カバー８０内に送り込まれ、下側のスリット８１ｂに、開口部６０ａを通過してきた他のＦＦＣ６２Ｍ〜６２Ｋが通されて、開閉カバー８０内に送り込まれる。したがって、スリット８１ａとスリット８１ｂの間のヒンジ８１が、クロストーク抑制構造物７０ａ〜７０ｄとして機能する。
【００６１】
また、図１５では、画像形成装置１は、図１４と同様に、板金ボックス６０の開口部６０ａに対応する位置のヒンジ８１に、水平方向に所定長さを有する２つのスリット８１ａ、８１ｂが垂直方向に所定間隔空けて形成されている。画像形成装置１は、図１５で、上側のスリット８１ａに、開口部６０ａを通過してきた最も長いＦＦＣ６２Ｙと２番目に長いＦＦＣ６２Ｍが通されて、開閉カバー８０内に送り込まれ、下側のスリット８１ｂに、開口部６０ａを通過してきた他のＦＦＣ６２Ｃ、６２Ｋが通されて、開閉カバー８０内に送り込まれる。したがって、スリット８１ａとスリット８１ｂの間のヒンジ８１が、クロストーク抑制構造物７０ａ〜７０ｄとして機能する。
【００６２】
また、クロストーク抑制構造物７０ａ〜７０ｄは、具体的な構造物としては、例えば、図１６から図１８に示すように、板金ボックス６０の上板６０ｕを、構造物として用いている。
【００６３】
すなわち、図１６では、画像形成装置１は、板金ボックス６０の上板６０ｕに、ＦＦＣ６２Ｙ〜６２Ｋが重なり合う方向に、所定間隔開けて２つの開口部６０ａａと開口部６０ａｂが形成されている。
【００６４】
画像形成装置１は、図１６では、板金ボックス６０の上板６０ｕの開口部２０ａａに、最も長いＦＦＣ６２Ｙが通されてＬＥＤアレイヘッド３３Ｙｌ、３３Ｍｌ、３３Ｃｌ、３３Ｋｌ方向に引き出され、板金ボックス６０の上板６０ｕの開口部６０ａｂに、他のＦＦＣ６２Ｍ〜６２Ｋが通されてＬＥＤアレイヘッド３３Ｙｌ、３３Ｍｌ、３３Ｃｌ、３３Ｋｌ方向に引き出されている。
【００６５】
したがって、開口部２０ａａと開口部６０ａｂの間の板金ボックス６０の上板６０ｕが、クロストーク抑制構造物７０ａ〜７０ｄとして機能する。
【００６６】
また、図１７では、画像形成装置１は、板金ボックス６０の上板６０ｕに、図１６と同様に、ＦＦＣ６２Ｙ〜６２Ｋが重なり合う方向に、所定間隔開けて２つの開口部６０ａａと開口部６０ａｂが形成されている。
【００６７】
画像形成装置１は、図１７では、板金ボックス６０の上板６０ｕの開口部２０ａａに、最も長いＦＦＣ６２Ｙと２番目に長いＦＦＣ６２Ｍが通されてＬＥＤアレイヘッド３３Ｙｌ、３３Ｍｌ、３３Ｃｌ、３３Ｋｌ方向に引き出され、板金ボックス６０の上板６０ｕの開口部６０ａｂに、他のＦＦＣ６２Ｃ、６２Ｋが通されてＬＥＤアレイヘッド３３Ｙｌ、３３Ｍｌ、３３Ｃｌ、３３Ｋｌ方向に引き出されている。
【００６８】
したがって、開口部２０ａａと開口部６０ａｂの間の板金ボックス６０の上板６０ｕが、クロストーク抑制構造物７０ａ〜７０ｄとして機能する。
【００６９】
さらに、図１８では、画像形成装置１は、板金ボックス６０の上板６０ｕに、ＦＦＣ６２Ｙ〜６２Ｋが重なり合う方向に、所定間隔開けて３つの開口部６０ａａ、開口部６０ａｂ、開口部６０ａｃが形成されている。
【００７０】
画像形成装置１は、図１８では、板金ボックス６０の上板６０ｕの開口部２０ａａに、最も長いＦＦＣ６２Ｙが通されてＬＥＤアレイヘッド３３Ｙｌ、３３Ｍｌ、３３Ｃｌ、３３Ｋｌ方向に引き出され、板金ボックス６０の上板６０ｕの開口部６０ａｂに、２番目に長いＦＦＣ６２Ｍが通されてＬＥＤアレイヘッド３３Ｙｌ、３３Ｍｌ、３３Ｃｌ、３３Ｋｌ方向に引き出されている。画像形成装置１は、さらに、板金ボックス６０の上板６０ｕの開口部６０ａｃに、他のＦＦＣ６２Ｃ、６２Ｋが通されてＬＥＤアレイヘッド３３Ｙｌ、３３Ｍｌ、３３Ｃｌ、３３Ｋｌ方向に引き出されている。
【００７１】
したがって、開口部２０ａａと開口部６０ａｂの間及び開口部６０ａｂと開口部６０ａcの間の板金ボックス６０の上板６０ｕが、クロストーク抑制構造物７０ａ〜７０ｄとして機能する。
【００７２】
次に、本実施例の作用を説明する。本実施例の画像形成装置１は、複数本の信号線が束ねられている信号線束であるＦＦＣ６２Ｍ〜６２Ｋを近接させて複数配設する場合に、小型化を図りつつ、クロストークの発生を抑制する。
【００７３】
すなわち、画像形成装置１は、制御基板６１に搭載されている画像書き込み制御部５７から露光部３３Ｙ、３３Ｍ、３３Ｃ、３３Ｋの各ＬＥＤアレイヘッド３３Ｙｌ、３３Ｍｌ、３３Ｃｌ、３３Ｋｌへ、図１９に示すように、各色のデータ、制御信号、クロックＣＬＫ、及び電源等を、ＦＦＣ６２Ｍ〜６２Ｋを通して送信する。また、画像形成装置１は、各色のＬＥＤアレイヘッド３３Ｙｌ、３３Ｍｌ、３３Ｃｌ、３３Ｋｌとして、同一の仕様のものが用いられており、ピンアサインも同一である。したがって、重ね合わされたＦＦＣ６２Ｍ〜６２Ｋは、同種の信号が、図１９に示したように、重なり合って、感光体３１Ｙ、３１Ｍ、３１Ｃ、３１Ｋへの静電潜像の形成タイミングに応じて流れる。
【００７４】
そして、このＦＦＣ６２Ｍ〜６２Ｋは、制御基板６１から各ＬＥＤアレイヘッド３３Ｙｌ、３３Ｍｌ、３３Ｃｌ、３３Ｋｌへと接続されるまでの間、途中分岐するまでは、図３及び図５に示したように、重なり合った状態で配設されている。
【００７５】
いま、ＦＦＣ６２Ｍ〜６２Ｋは、図３及び図５に示したように、ＦＦＣ６２Ｍが、両面をＦＦＣ６２ＹとＦＦＣ６２Ｃに最も長く挟まれた状態の両サイド長距離両面接触ＦＦＣ、ＦＦＣ６２Ｃが、片面全面に位置するＦＦＣ６２Ｍと反対面に短く位置するＦＦＣ６２Ｋとで挟まれた状態の片サイド長距離両面接触ＦＦＣ、ＦＦＣ６２Ｙが、片面にのみＦＦＣ６２Ｍが長く位置する長距離片面接触ＦＦＣ、ＦＦＣ６２Ｋが、片面全面にＦＦＣ６２Ｃが位置する短距離片面接触ＦＦＣとなっている。
【００７６】
また、上述のように、一般的に、クロストークは、ＦＦＣ６２Ｍ〜６２Ｋを流れる信号電流の大きい方のＦＦＣ６２Ｍ〜６２Ｋが、影響を与える側、信号電流の小さい方のＦＦＣ６２Ｍ〜６２Ｋが影響を受ける側となりやすい。そして、データバスを有する電子部品においては、データバスのドライブ能力が他の制御信号よりも高く設定されている。特に、オーバーシュート／アンダーシュート等の各種タイミング規格を満たす必要があるため、ダンピング抵抗等をチューニングすることで、データ信号の信号電流が最も小さくなることが多く、データ信号である露光信号（画像信号）が最もクロストークの影響を受けやすくなっている。
【００７７】
さらに、画像形成装置１は、制御基板６１から各ＬＥＤアレイヘッド３３Ｙｌ、３３Ｍｌ、３３Ｃｌ、３３Ｋｌへ、同時にデータ転送した場合、各種制御信号においては、タイミングがほぼ同じタイミングで遷移するため、相互に影響を受け難いが、データ信号においては、遷移タイミングがそれぞれで異なるため、クロストークが発生しやすい。
【００７８】
例えば、図２０において、ＦＦＣ６２Ｍを流れるデータ信号Ｓｍが、「０」であるタイミングｔ１において、ＦＦＣ６２Ｍを挟んでいるＦＦＣ６２Ｃを流れるデータ信号ＳｃとＦＦＣ６２Ｙを流れるデータ信号Ｓｙが同時にスレッシュ値を超えて「１」に立ち上がると、ＦＦＣ６２ＣとＦＦＣ６２Ｙに挟まれているＦＦＣ６２Ｍを流れるデータ信号Ｓｍが、クロストークの影響を受けて、電圧レベルが持ち上がる。ＦＦＣ６２Ｍを流れるデータ信号Ｓｍは、クロストークの影響によって、立ち上がった電圧レベルがスレッシュ値を超えると、ＬＥＤアレイヘッド３３Ｍｌにおいて「１」と認識され、誤ったデータ転送が発生する。
【００７９】
そして、本実施例の場合、画像形成装置１は、上述のように、ＦＦＣ６２Ｍが、両面をＦＦＣ６２ＹとＦＦＣ６２Ｃに最も長く挟まれた状態の両サイド長距離両面接触ＦＦＣとなっているため、最もクロストークを受けやすいＦＦＣとなっている。
【００８０】
そこで、本実施例の画像形成装置１は、図６から図８に示したように、少なくとも最もクロストークを受けやすいＦＦＣ６２Ｍに対して、他のＦＦＣ６２Ｙ、６２Ｃ、６２Ｋを流れる信号による電磁界の影響を低減させるクロストーク抑制構造物７０ａ〜７０ｄを配設し、他のＦＦＣ６２Ｙ、６２Ｃ、６２Ｋを流れる信号によるクロストークの影響を抑制している。その結果、画像形成装置１は、ＦＦＣ６２Ｍを流れるデータ信号に対して、他のＦＦＣ６２Ｙ、６２Ｃ、６２Ｋを流れる信号によるクロストークの影響を抑制することができ、誤ったデータ転送を行なうことを抑制することができる。
【００８１】
すなわち、画像形成装置１は、図６の場合、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、最もクロストークの影響を受けるＦＦＣ６２Ｍの制御基板６１側の一部分において、最も長いＦＦＣ６２Ｙとの間に、クロストーク抑制構造物７０ａが入り込む状態で配設され、３番目に長いＦＦＣ６２Ｃ都の間に、クロストーク抑制構造物７０ｂが入り込む状態で配設されている。
【００８２】
したがって、ＦＦＣ６２Ｍは、クロストーク抑制構造物７０ａによって、制御基板６１側の一部分が、ＦＦＣ６２Ｙと所定距離だけ離れた状態、または、所定距離だけ離れるとともに電磁界が抑制された状態となっており、また、クロストーク抑制構造物７０ｂによって、制御基板６１側の一部分が、ＦＦＣ６２Ｃと所定距離だけ離れた状態、または、所定距離だけ離れるとともに電磁界が抑制された状態となっている。その結果、図６に矢印で示すように、ＦＦＣ６２Ｍに作用する他のＦＦＣ６２Ｙ、６２Ｃ、６２Ｋの電磁界は、クロストーク抑制構造物７０ａ、７０ｂの配設されている部分において、小さくなり、クロストークの影響を抑制することができる。したがって、画像形成装置１は、制御基板６１からＬＥＤアレイヘッド３３Ｍｌへ、ＦＦＣ６２Ｍを流れるデータ信号を正確に転送することができるとともに、他のＦＦＣ６２Ｙ、６２Ｃ、６２Ｋを流れるデータ信号についても正確に転送することができる。
【００８３】
また、画像形成装置１は、図７では、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、最もクロストークの影響を受けるＦＦＣ６２Ｍの制御基板６１側の一部分において、最も長いＦＦＣ６２Ｙとの間に、クロストーク抑制構造物７０ｃが入り込む状態で配設されている。このクロストーク抑制構造物７０ｃは、その長さ方向の長さが、図６のクロストーク抑制構造物７０ａ、７０ｂよりも長くなっている。
【００８４】
したがって、ＦＦＣ６２Ｍは、クロストーク抑制構造物７０ｃによって、制御基板６１側の一部分が、ＦＦＣ６２Ｙと所定距離だけ離れた状態、または、所定距離だけ離れるとともに電磁界が抑制された状態となっている。その結果、図７に矢印で示すように、ＦＦＣ６２Ｍに作用するＦＦＣ６２Ｙの電磁界は、クロストーク抑制構造物７０ｄの配設されている部分において、小さくなり、クロストークの影響を抑制することができる。したがって、画像形成装置１は、制御基板６１からＬＥＤアレイヘッド３３Ｍｌへ、ＦＦＣ６２Ｍを流れるデータ信号を正確に転送することができるとともに、他のＦＦＣ６２Ｙ、６２Ｃ、６２Ｋを流れるデータ信号についても正確に転送することができる。
【００８５】
さらに、画像形成装置１は、図８では、制御基板６１とＬＥＤアレイヘッド３３Ｙｌ、３３Ｍｌ、３３Ｃｌ、３３Ｋｌとを接続するＦＦＣ６２Ｙ、６２Ｍ、６２Ｃ、６２Ｋのうち、最もクロストークの影響を受けるＦＦＣ６２Ｍの制御基板６１側の一部分において、３番目に長いＦＦＣ６２Ｙとの間に、ＦＦＣ６２Ｍの制御基板６１側の一部分で、クロストーク抑制構造物７０ｄが入り込む状態で配設されている。このクロストーク抑制構造物７０ｄは、その長さ方向の長さが、図６のクロストーク抑制構造物７０ａ、７０ｂよりも長く、図７のクロストーク抑制構造物７０ｃと略同じ長さである。
【００８６】
したがって、ＦＦＣ６２Ｍは、クロストーク抑制構造物７０ｄによって、制御基板６１側の一部分が、ＦＦＣ６２Ｃと所定距離だけ離れた状態、または、所定距離だけ離れるとともに電磁界が抑制された状態となっている。その結果、図８に矢印で示すように、ＦＦＣ６２Ｍに作用する他のＦＦＣ６２Ｃ、６２Ｋの電磁界は、クロストーク抑制構造物７０ｄの配設されている部分において、小さくなり、クロストークの影響を抑制することができる。したがって、画像形成装置１は、制御基板６１からＬＥＤアレイヘッド３３Ｍｌへ、ＦＦＣ６２Ｍを流れるデータ信号を正確に転送することができるとともに、他のＦＦＣ６２Ｙ、６２Ｃ、６２Ｋを流れるデータ信号についても正確に転送することができる。
【００８７】
そして、クロストーク抑制構造物７０ａ〜７０ｄは、ＦＦＣ６２Ｙ〜６２Ｋの相互間の距離を空ける構造物としては、例えば、上記図９から図１３に示すようなものを用いることができる。
【００８８】
クロストーク抑制構造物７０ａ〜７０ｄは、例えば、図９に示すように、ＦＦＣ６２Ｙ〜６２Ｋの電磁界の影響を低減させる部分全域を覆う構造物を用いると、確実に、他のＦＦＣ６２Ｙ〜６２Ｋからの電磁界の影響を低減させて、クロストークの影響を低減させることができる。
【００８９】
また、クロストーク抑制構造物７０ａ〜７０ｄは、図１０に示すように、ＦＦＣ６２Ｙ〜６２Ｋの電磁界の影響を低減させる部分の長さ方向全域、かつ、幅方向については、ＦＦＣ６２Ｙ〜６２Ｋの幅よりも狭い幅を有する構造物を用いると、材料を削減して安価に、他のＦＦＣ６２Ｙ〜６２Ｋからの電磁界の影響を低減させて、クロストークの影響を低減させることができる。
【００９０】
さらに、クロストーク抑制構造物７０ａ〜７０ｄは、図１１に示すように、ＦＦＣ６２Ｙ〜６２Ｋの電磁界の影響を低減させる部分の長さ方向全域、かつ、幅方向については、ＦＦＣ６２Ｙ〜６２Ｋの幅よりも狭い幅を有する複数（図１１では、２つ）の構造物を並べたものを用いると、材料を削減しつつ確実に、他のＦＦＣ６２Ｙ〜６２Ｋからの電磁界の影響を低減させて、クロストークの影響を低減させることができる。
【００９１】
また、クロストーク抑制構造物７０ａ〜７０ｄは、図１２に示すように、ＦＦＣ６２Ｙ〜６２Ｋの長さ方向に所定の狭い幅を有するとともに、ＦＦＣ６２Ｙ〜６２Ｋの幅よりも短い長さを有する複数（図１１では、３つ）の構造物を、ＦＦＣ６２Ｙ〜６２Ｋの電磁界の影響を低減させる部分の長さ方向全域に対して、所定間隔を空けて配置したものを用いると、材料を削減しつつ確実に、他のＦＦＣ６２Ｙ〜６２Ｋからの電磁界の影響を低減させて、クロストークの影響を低減させることができる。
【００９２】
さらに、クロストーク抑制構造物７０ａ〜７０ｄは、図１３に示すように、所定の半径を有する円柱状の構造物を、ＦＦＣ６２Ｙ〜６２Ｋの電磁界の影響を低減させる部分の長さ方向全域にわたって、ＦＦＣ６２Ｙ〜６２Ｋの幅方向及び長さ方向に複数（図１３では、幅方向に２つ、長さ方向に３つ）配置したものを用いると、より一層材料を削減しつつ確実に、他のＦＦＣ６２Ｙ〜６２Ｋからの電磁界の影響を低減させて、クロストークの影響を低減させることができる。
【００９３】
また、画像形成装置１は、図１４から図１８に示したように、ＬＥＤアレイヘッド３３Ｙｌ、３３Ｍｌ、３３Ｃｌ、３３Ｋｌの配設されている開閉カバー８０のヒンジ８１や板金ボックス６０の上板６０ｕを、クロストーク抑制構造物７０ａ〜７０ｄとして利用している。
【００９４】
したがって、クロストーク抑制構造物７０ａ〜７０ｄを安価にかつ小型化することができる。
【００９５】
なお、上記説明においては、画像形成装置１が、搬送ベルト２１を用いて用紙Ｐを画像形成部３０Ｙ、３０Ｍ、３０Ｃ、３０Ｋを順次搬送して該用紙Ｐに直接画像形成部３０Ｙ、３０Ｍ、３０Ｃ、３０Ｋから各色のトナー画像を重ね合わせてカラートナー画像を形成するものに適用している。画像形成装置１としては、上記構成のものに限らず、例えば、図２１に示すように、中間転写ベルト２１ａを用いた画像形成装置１ａであってもよい。なお、図１と同様の構成部分には、同一の符号を付している。この画像形成装置１ａは、駆動ローラ２２と従動ローラ２３に無端リング状の中間転写ベルト２１ａが張り渡されており、この中間転写ベルト２１ａに沿って画像形成部３０Ｙ、３０Ｍ、３０Ｃ、３０Ｋが配列されている。
【００９６】
画像形成装置１ａは、画像形成時、各画像形成部３０Ｙ、３０Ｍ、３０Ｃ、３０Ｋが、図２１中時計方向に回転駆動される感光体３１Ｙ、３１Ｍ、３１Ｃ、３１Ｋを、帯電部３２Ｙ、３２Ｍ、３２Ｃ、３２Ｋで一様に帯電させて、露光部３３Ｙ、３３Ｍ、３３Ｃ、３３Ｋから、各色の画像データで変調された書き込み光が感光体３１Ｙ、３１Ｍ、３１Ｃ、３１Ｋに照射されて静電潜像が形成されると、該静電潜像の形成された感光体３１Ｙ、３１Ｍ、３１Ｃ、３１Ｋに、現像部３４Ｙ、３４Ｍ、３４Ｃ、３４Ｋで、それぞれＹＭＣＫの各色のトナーを付着させて、各色のトナー画像を形成する。そして、画像形成部３０Ｙ、３０Ｍ、３０Ｃ、３０Ｋは、中間転写ベルト２１ａの背面に配設された転写部３５Ｙ、３５Ｍ、３５Ｃ、３５Ｋが、所定タイミングで順次転写電位を付与して、感光体３１Ｙ、３１Ｍ、３１Ｃ、３１Ｋ上のＹＭＣＫ各色のトナー画像を順次中間転写ベルト２１ａに重ね合わせて転写させる。トナー画像の転写の完了した中間転写ベルト２１ａは、従動ローラ２３と対向する位置に配設されている２次転写ローラ２５と中間転写ベルト２１ａとの間に、給紙部１０から搬送されてきた用紙Ｐに２次転写ローラ２５によって中間転写ローラ２１ａ上のトナー画像を転写する。画像形成装置１は、トナー画像の転写された用紙Ｐを定着部４０に搬送して、上記同様に、定着部４０でトナー画像を用紙に定着させる。
【００９７】
このように、本実施例の画像形成装置１は、その配線部（配線装置）７１が、複数本の信号線が面状に束ねられたＦＦＣ（信号線束）６２Ｙ〜６２Ｋと、ＦＦＣ６２Ｙ〜６２Ｋの信号線の方向を合わせて面同士が重ね合わされて配設された複数のＦＦＣ６２Ｙ〜６２Ｋの一部分（所定領域）において、所定のＦＦＣ６２Ｙ〜６２Ｋと重なり合っている少なくとも一方の該ＦＦＣ６２Ｙ〜６２Ｋとの間に配設されて該ＦＦＣ６２Ｙ〜６２Ｋ間におけるクロストークを抑制するクロストーク抑制構造物（クロストーク抑制手段）７０ａ〜７０ｄと、を備えている。
【００９８】
したがって、複数本の信号線が束ねられている信号線束であるＦＦＣ６２Ｙ〜６２Ｋを近接させて複数配設する場合に、ＦＦＣ６２Ｙ〜６２Ｋの所定領域にクロストーク抑制構造物７０ａ〜７０ｄを配設しているので、小型化を図りつつ、クロストークの発生を抑制することができる。
【００９９】
また、本実施例の画像形成装置１は、信号線束であるＦＦＣ６２Ｙ〜６２Ｋが、少なくとも３束以上重ね合わされており、クロストーク抑制構造物７０ａ〜７０ｄが、両面がＦＦＣ６２Ｙ〜６２Ｋに挟まれているＦＦＣ６２Ｙ〜６２Ｋの所定領域において、該ＦＦＣ６２Ｙ〜６２Ｋを挟んでいる他の２つのＦＦＣ６２Ｙ〜６２Ｋのうち少なくとも一方のＦＦＣ６２Ｙ〜６２Ｋとの間に配設されて該ＦＦＣ６２Ｙ〜６２Ｋ間におけるクロストークを抑制する状態で配設されている。
【０１００】
したがって、少ないクロストーク抑制構造物７０ａ〜７０ｄで効率的にクロストークの影響を抑制することができ、より一層小型化を図りつつ、クロストークの発生を抑制することができる。
【０１０１】
さらに、本実施例の画像形成装置１は、ストローク抑制構造物７０ａ〜７０ｄが、ＦＦＣ６２Ｙ〜６２Ｋ同士の距離を所定量空けて前記クロストークを抑制する。
【０１０２】
したがって、ストローク抑制構造物７０ａ〜７０ｄとして安価で小型のものを用いることができ、安価でより一層小型化を図りつつ、クロストークの発生を抑制することができる。
【０１０３】
また、本実施例の画像形成装置１は、クロストーク抑制構造物７０ａ〜７０ｄが、ＦＦＣ６２Ｙ〜６２Ｋを流れる信号によって発生する電磁界の他のＦＦＣ６２Ｙ〜６２Ｋへの影響を抑制して前記クロストークを抑制する。
【０１０４】
したがって、小型化を図りつつ、より一層確実にクロストークの発生を抑制することができる。
【０１０５】
さらに、本実施例の画像形成装置１は、クロストーク抑制構造物７０ａ〜７０ｄが、ＦＦＣ６２Ｙ〜６２Ｋの幅と略同じ幅を有し、該ＦＦＣ６２Ｙ〜６２Ｋの長さ方向に前記所定領域の長さを有する所定厚さの板状部材で構成されている。
【０１０６】
したがって、安価でより一層小型化を図りつつ、クロストークの発生を抑制することができる。
【０１０７】
また、本実施例の画像形成装置１は、クロストーク抑制構造物７０ａ〜７０ｄが、ＦＦＣ６２Ｙ〜６２Ｋと面する面形状が前記所定領域よりも小さい所定の板形状の部分クロストーク抑制部材が、該所定領域において相対向するＦＦＣ６２Ｙ〜６２Ｋ同士のクロストークを抑制する状態で複数配設されている。
【０１０８】
したがって、ストローク抑制構造物７０ａ〜７０ｄとして安価で小型のものを用いることができ、安価でより一層小型化を図りつつ、クロストークの発生を抑制することができる。
【０１０９】
さらに、本実施例の画像形成装置１は、信号線束として、フレキシブルフラットケーブルであるＦＦＣ６２Ｙ〜６２Ｋを用いている。
【０１１０】
したがって、信号線束としてフレキシブルフラットケーブルを用いた信号転送におけるクロストークを抑制することができる。
【０１１１】
また、本実施例の画像形成装置１は、制御手段である制御基板６１から画像信号を、感光体に各色の静電潜像を形成する書き込み光を出射する各色のＬＥＤアレイヘッド３３Ｙｌ、３３Ｍｌ、３３Ｃｌ、３３Ｋｌに送信する配線部７１に上記各配線部を用いている。
【０１１２】
したがって、制御基板６１からＬＥＤアレイヘッド３３Ｙｌ、３３Ｍｌ、３３Ｃｌ、３３Ｋｌへの画像信号を転送におけるクロストークの影響を抑制することができ、正確に画像信号を転送して画像に縦すじ等が発生することを抑制して、画像品質を向上させることができる。
【０１１３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【０１１４】
具体的には、上記信号線束は、フレキシブルフラットケーブルに限るものではなく、例えば、バラ線ハーネス等であってもよい。
【０１１５】
また、信号転送方式としては、シングルエンド信号方式（ＴＴＬ規格やＣＭＯＳ規格）や差動信号方式（ＬＶＤＳ規格やＵＳＢ規格）を用いてもよい。
【０１１６】
さらに、信号線束を用いた接続先である3つ以上の固定走査ヘッドとしては、有機ＥＬヘッド、面発光ヘッド、ＬＳＵであってもよい。
【０１１７】
また、本発明は、ＲＧＢで構成されるスキャナ光源の接続に適用することができる。
【符号の説明】
【０１１８】
１  画像形成装置
１０  給紙部
１１  給紙カセット
１２  給紙ローラ
１３  分離ローラ
２０  搬送ベルト機構部
２１  搬送ベルト
２１ａ  中間転写ベルト
２２  駆動ローラ
２３  従動ローラ
２４  ガイド板
３０Ｙ、３０Ｍ、３０Ｃ、３０Ｋ  画像形成部
３１Ｙ、３１Ｍ、３１Ｃ、３１Ｋ  感光体
３２Ｙ、３２Ｍ、３２Ｃ、３２Ｋ  帯電部
３３Ｙ、３３Ｍ、３３Ｃ、３３Ｋ  露光部
３３Ｙｌ、３３Ｍｌ、３３Ｃｌ、３３Ｋｌ  ＬＥＤアレイヘッド
３４Ｙ、３４Ｍ、３４Ｃ、３４Ｋ  現像部
３５Ｙ、３５Ｍ、３５Ｃ、３５Ｋ  転写部
３６Ｙ、３６Ｍ、３６Ｃ、３６Ｋ  クリーニング部
４０  定着部
４１  定着ローラ
４２  加圧ローラ
５０  制御部
５１  コンピュータインターフェイス部
５２  作像プロセス部
５３  ＣＴＬ
５４  操作表示部
５５  プリントジョブ管理部
５６  画像読み取り部
５７  画像書き込み制御部
５８  ラインメモリ
５９  記憶部
６０  板金ボックス
６０ｕ  上板
６０ａ、６０ａａ、６０ａｂ、６０ａｃ  開口部
６１  制御基板
６２Ｙ、６２Ｍ、６２Ｃ、６２Ｋ  ＦＦＣ（信号線束）
６３ａ、６３ｂ  側板
６４  底板金
６５  取付具
６６ａ〜６６ｄ  コネクタ
６７  シールドシート
６８  導電性テープ
６９  接地部材
７０、７０ａ〜７０ｄ  クロストーク抑制構造物
７１  配線部
【先行技術文献】
【特許文献】
【０１１９】
【特許文献１】特開２０１１−２０５３３５号公報
【図１】
2014086332.tif 000003
【図２】
2014086332.tif 000004
【図３】
2014086332.tif 000005
【図４】
2014086332.tif 000006
【図５】
2014086332.tif 000007
【図６】
2014086332.tif 000008
【図７】
2014086332.tif 000009
【図８】
2014086332.tif 000010
【図９】
2014086332.tif 000011
【図１０】
2014086332.tif 000012
【図１１】
2014086332.tif 000013
【図１２】
2014086332.tif 000014
【図１３】
2014086332.tif 000015
【図１４】
2014086332.tif 000016
【図１５】
2014086332.tif 000017
【図１６】
2014086332.tif 000018
【図１７】
2014086332.tif 000019
【図１８】
2014086332.tif 000020
【図１９】
2014086332.tif 000021
【図２１】
2014086332.tif 000022
【図２０】
2014086332.tif 000023